(57)【要約】【課題】  これまで折角地面に接する物を使用していながらも、やはり静電気に悩まされていた。【解決手段】手にする部分を導電性のあるゴム等で覆い、その先を導電性のある金属・非鉄金属・樹脂等の材料にし、組合わせた杖にしたものである。【選択図】      図１
2007075557.tif 000002
【特許請求の範囲】
【請求項１】
手にする部分を導電性のあるゴム等で覆い、その先を導電性のある金属・非鉄金属・樹脂等の材料にし、組合わせた杖。
【請求項２】
手にする部分を導電性のあるゴム等で覆い、その先を導電性のある金属・非鉄金属・樹脂等の材料とお好みの材料とを接ぎ、組合わせた杖。
【請求項３】
手にする部分を導電性のあるゴム等で長く覆い、その先を導電性のある金属・非鉄金属・樹脂等の材料にし、組合わせた杖。
【請求項４】
手にする部分を導電性のあるゴム等で長く覆い、その先を導電性のある金属・非鉄金属・樹脂等の材料とお好みの材料とを接ぎ、組合わせた杖。
【請求項５】
杖で、長さ調整杖本体と杖長さ調整コマと杖先とを持つ杖。
【請求項６】
杖で、夜光性長さ調整杖本体と夜光性杖長さ調整コマと夜光性杖先とを持つ杖。
【発明の詳細な説明】
【技術分野】
【０００１】  本発明は、歩行等の補助具として使用されている杖に関する。
【背景技術】
【０００２】  従来の杖は、静電気を念頭に置いたものはなかったのである。又、長さ調整に、付けたり外したりする長さ調整コマを活用する物はなかったのである。
【発明の開示】
【発明が解決しようとする課題】
【０００３】  これまで折角地面に接する物を使用していながらも、やはり静電気で悩まされていた。又、長さ調整にも課題があった。【０００４】  本発明は、上述の静電気による課題を解決しようとするものであり、杖を持っただけでも静電気を除去することを目的とするものである。又、長さ調整やその安全面にも考慮する事を目的とするものである。
【課題を解決するための手段】
【０００５】  本発明は、上記目的を達成するために、手にする部分を導電性のあるゴム等で覆い、その先を導電性のある金属・非鉄金属・樹脂等の材料にし、組合わせた杖にしたものである。【０００６】  又、手にする部分を導電性のあるゴム等で覆い、その先を導電性のある金属・非鉄金属・樹脂等の材料とお好みの材料とを接ぎ、組合わせた杖にしたものである。【０００７】  又、手にする部分を導電性のあるゴム等で長く覆い、その先を導電性のある金属・非鉄金属・樹脂等の材料にし、組合わせた杖にしたものである。【０００８】  又、手にする部分を導電性のあるゴム等で長く覆い、その先を導電性のある金属・非鉄金属・樹脂等の材料とお好みの材料とを接ぎ、組合わせた杖にしたものである。【０００９】  又、杖の長さ調整に、安全面にも考慮した長さ調整杖本体と杖長さ調整コマと杖先を持つ杖にしたものである。【００１０】  そして、杖の長さ調整と夜間も含めた安全面にも考慮した、夜光性長さ調整杖本体と夜光性杖長さ調整コマと夜光性杖先を持つ杖にしたものである
【発明の効果】
【００１１】  本発明は、これまで折角地面に接する物を使用していながらも静電気で悩まされていた事が、本発明の杖を持っただけでも静電気を除去してくれる事になり、その悩みも解消されその不安もなくなるのである。そして、杖の長さ調整も夜間歩行にもさらに安全面に考慮されたものになったのである。
【発明を実施するための最良の形態】
【００１２】  以下、本発明の実施の形態を図１〜図４に基づいて説明する。【００１３】  図１においては、導電性ゴム１と導電性杖２で構成されている。【００１４】  図２においては、導電性ゴム１と導電性杖頭３とお好み材料杖４とで構成されている。【００１５】  図３においては、導電性長ゴム５と導電性杖２で構成されている。【００１６】  図４においては、導電性長ゴム５と導電性杖頭３とお好み材料杖４とで構成されている。【００１７】  図５においては、杖の長さ調整に、長さ調整杖本体６と杖長さ調整コマ７と杖先８と杖スベリ止め９とで構成されている杖があり、そして、夜光性長さ調整杖本体６′と夜光性長さ調整コマ７′と夜光性杖先８′と杖スベル止め９とで構成されている杖を示している。【００１８】  以下、上記構成の動作を説明する。図１においては、導電性ゴム１と導電性杖２で構成された杖で、手にする部分の導電性ゴム１に静電気を帯電している手で触れると、導電性ゴム１と導電性杖２との隙間でスパークし放電されるのである。又、杖の先が地面に接触した時にも放電されるのである。【００１９】  図２においては、導電性ゴム１と導電性杖頭３とお好み材料杖４とで構成された杖で、手にする部分の導電性ゴム１に静電気を帯電している手で触れると、帯電性ゴム１と帯電性杖頭３との隙間でスパークし放電されるのである。又、この杖は、杖の先端部をお好みの材料４にできるものでファッションの一部にもなり持っているだけでも楽しくもなるものである。【００２０】  図３においては、導電性長ゴム５と導電性杖２で構成された杖で、手にする部分の導電性長ゴム５に静電気を帯電している手で触れると、導電性長ゴム５と導電性杖２との隙間でスパークし放電されるのである。又、杖の先が地面に接触した時にも放電されるのである。そして、この杖のもう一つの特徴は、導電性長ゴムであるので杖の縦の部分を持っても滑り止めにもなる材料であり、いろいろな支え方にも重宝な杖である。【００２１】  図４においては、導電性長ゴム５と導電性杖頭３とお好み材料杖４とで構成された杖で、手にする部分の導電性長ゴム５に静電気を帯電している手で触れると、導電性長ゴム５と導電性杖頭３との隙間でスパークし放電されるのである。又、この杖は、杖の先端部をお好みの材料４にできるものでファッションの一部にもなり持っているだけでも楽しくもなるものである。そして、この杖のもう一つの特徴は、導電性長ゴム５であるので杖の縦の部分を持っても滑り止めにもなる材料であり、いろいろな支え方で利用するのには重宝な杖である。【００２２】  図５においては、杖の長さは個人に合わせなければならないと同時に、安全面にも最大限配慮しなければならなく、これはそれを考慮したものである。それは、長さ調整本体６と長さ調整コマ７と杖先８とスベリ止め９により構成されるものであり、そして夜光性長さ調整杖本体６′と夜光性杖長さ調整コマ７′と夜光性杖先８′とスベリ止め９により構成されるものである。
以上のように、これまでの杖の常識を変える杖になるものである。
【図面の簡単な説明】
【００２３】
【図１】  この発明の、第１実施例の正面図。
【図２】  この発明の、第２実施例の正面図。
【図３】  この発明の、第３実施例の正面図。
【図４】  この発明の、第４実施例の正面図。
【図５】  この発明の、第５実施例の断面図。
【符号の説明】
【００２４】  １    導電性ゴム
２    導電性杖
３    導電性杖頭
４    お好み材料杖
５    導電性長ゴム
６    長さ調整杖本体
６′  夜光性長さ調整杖本体
７    杖長さ調整コマ
７′  夜光性杖長さ調整コマ
８    杖先
８′  夜光性杖先
９    杖スベリ止め
【図１】
2007075557.tif 000003
【図２】
2007075557.tif 000004
【図３】
2007075557.tif 000005
【図４】
2007075557.tif 000006
【図５】
2007075557.tif 000007